(57)【要約】  取付システム（１００）が第１の表面および第２の表面（３００Ａ、３００Ｂ）を含む。装置パネル（１０６）が、少なくとも第１および第２の係合部材（２０４Ａ、２０４Ｂ）を含むことが可能である。第１および第２の表面は、それぞれに第１および第２の係合部材と係合するサイズおよび形状にされており、および、第１および第２の係合部材は第１および第２の表面に沿って移動する。第１および第２の表面は、第１および第２の係合部材と取付パネル（１０４）との間の反力が、支持表面に対する複数の角度において装置パネルを連続的に不動化するために、装置パネルの重心によって生じさせられるモーメントを打ち消すように協働するように、適切なサイズおよび形状にされている。
2008517349.tif 000002
【特許請求の範囲】
【請求項１】
ディスプレイのためのマウントであって、
第１の係合部材と、
前記第１の係合部材に係合するための第１の表面と、
第２の係合部材と、
前記第２の係合部材に係合するための第２の表面
とを備え、
前記第１および第２の表面は、前記ディスプレイの傾斜調整を可能にするために、前記マウントによって許容される角度の範囲内の任意の角度において前記ディスプレイを連続的に不動化するように前記第１および第２の係合部材と協働する
マウント。
【請求項２】
前記第１および第２の表面の少なくとも１つはスロット内に含まれている請求項１に記載のマウント。
【請求項３】
前記スロットは実質的に途切れが無い請求項２に記載のマウント。
【請求項４】
前記ディスプレイの重量は約９０．７ｋｇ（約２００ｌｂ）未満である請求項１に記載のマウント。
【請求項５】
前記ディスプレイは、前記マウントに一致している垂直軸線に対して相対的に少なくとも約５度後方にかつ約２５度前方に位置決めされることが可能である請求項１に記載のマウント。
【請求項６】
前記第１および／または第２の表面は、前記第１および／または第２の係合部材の移動を制限するようになっている請求項１に記載のマウント。
【請求項７】
前記マウントは、概ね垂直な表面、壁マウント、および、支持アームから成るグループから選択される支持物に連結されている請求項１に記載のマウント。
【請求項８】
前記マウントは、ポリマー、金属、複合材料、木材、および、これらの組合せから成るグループから選択される材料を含む請求項１に記載のマウント。
【請求項９】
前記第１および／または第２のスロットと前記第１および／または第２の係合部材との間の摩擦を変化させるために配置されている被覆をさらに含む請求項１に記載のマウント。
【請求項１０】
前記第１の表面は第１のスロット内に含まれており、および、前記第２の表面は第２のスロット内に含まれている請求項１に記載のマウント。
【請求項１１】
前記第１のスロットは概ね湾曲しており、および、前記第２のスロットは概ね垂直かつ直線状である請求項１０に記載のマウント。
【請求項１２】
前記第１のスロットは概ね湾曲しており、および、前記第２のスロットは概ね直線状でありかつ垂直位置からオフセットしている請求項１０に記載のマウント。
【請求項１３】
前記第１および第２のスロットの両方は概ね湾曲している請求項１０に記載のマウント。
【請求項１４】
前記第１および第２のスロットの両方は湾曲しており、および、水平軸線に関して概ね対称である請求項１０に記載のマウント。
【請求項１５】
前記第２の表面は別個の部材の上に備えられている請求項１に記載のマウント。
【請求項１６】
前記第１の表面はスロット内に含まれており、および、前記第２の表面はスロット内に含まれていない請求項１に記載のマウント。
【請求項１７】
前記マウントを支持構造物の上に保持するための１つまたは複数の保持要素をさらに含む請求項１に記載のマウント。
【請求項１８】
前記係合部材の１つまたは複数はピンおよびローラを含む請求項１に記載のマウント。
【請求項１９】
前記マウントは、圧縮ボルトを締めることによって支持物上に固定されている請求項１に記載のマウント。
【請求項２０】
前記第１および第２の表面は前記ディスプレイによって支持されている請求項１に記載のマウント。
【請求項２１】
前記第１の表面は細長い部材によって支持されている請求項１に記載のマウント。
【請求項２２】
前記細長い部材は前記マウントによって画定された空洞の中に配置されている請求項２１に記載のマウント。
【請求項２３】
前記第１および第２の表面と前記第１および第２の係合部材は前記空洞内に配置されている請求項２１に記載のマウント。
【請求項２４】
前記第１の表面の輪郭および／または角度は、旋回点を中心として前記第１の表面を動かすための調整ねじの動きによって調整されてよい請求項１に記載のマウント。
【請求項２５】
前記第１および第２の係合部材は前記ディスプレイに機能的に連結されている請求項１に記載のマウント。
【請求項２６】
取付システムであって、
第１の表面と第２の表面とを少なくとも含むマウントであって、前記第１および第２の表面の少なくとも１つが途切れの無い湾曲した形状を有するマウントと、
少なくとも第１の係合部材と第２の係合部材とを含む装置パネル
とを備え、
前記第１および第２の係合部材はそれぞれに前記第１および第２の表面と係合可能であり、および、前記装置パネルは、前記第１および第２の表面に対する前記第１および第２の係合部材の係合によって前記マウントに対する複数の傾斜した方向配置において連続的に不動化され、および、前記第１および第２の表面は、前記第１および第２の係合部材と前記マウントとの間の反力が、少なくとも装置パネルの重心位置の変化によって生じさせられるモーメントを連続的に打ち消すために協働するように、適切なサイズおよび形状にされている
取付システム。
【請求項２７】
方法であって、
マウントに対して相対的に装置パネルを選択的に位置決めすることであって、第１および第２の係合部材は前記装置パネルと前記マウントとの間に可動的に連結され、および、前記第１および第２の係合部材は、前記取付パネルの第１および第２の実質的に連続した表面にそれぞれに係合させられることと、
前記マウントに対して相対的に前記装置パネルを連続的に不動化すること
とを含む方法。
【発明の詳細な説明】
【技術分野】
【０００１】
本発明は、プラズマスクリーン、液晶ディスプレイスクリーン等のようなフラットパネルディスプレイスクリーンを非限定的に含む機器を可動的に支持する装置および方法に関する。
【背景技術】
【０００２】
フラットパネルディスプレイのようなディスプレイスクリーンが、一般的に、壁、天井、傾斜表面、柱、および／または、カートのような表面上に取り付けられる。典型的には、これらのディスプレイは、そのディスプレイの位置を調整することを可能にしない固定されたマウントを用いてこうした表面上に取り付けられる。ディスプレイの位置の調整を実現しているマウントでは、このマウントは、ばねおよびロッキングシステムのような多数の可動部品を有する傾向がある。これに加えて、こうしたマウントは、特定のディスプレイに対して個別的に適合化されている傾向がある。すなわち、こうしたマウントは、異なるサイズおよび重量を有する様々なディスプレイを取り付けることが不可能である。
【発明の開示】
【０００３】
本発明の実施態様が、表面に対してディスプレイを取り付けるためのマウントを含む。こうしたマウントは、最小限の可動部品を用いて表面に対する相対的なディスプレイの滑らか形での傾き調整を実現する。実施態様によっては、このマウントは、このマウントによって許容される角度範囲内において装置パネルを連続的に不動化するために、その装置の重心位置の変化によって生じさせられるモーメントを打ち消すための協働的な反力を生じさせるサイズおよび形状にされた、少なくとも１つの表面を含む。このマウントは、固定具、レバー、または、ピンなしに、ユーザが比較的大型のディスプレイの傾斜を容易に調整することを可能にする。
【０００４】
実施態様によっては、本発明は第１の表面と第２の表面とを含む。この第１および／または第２の表面はカム表面であることが可能である。一般的に、カム表面は、システムを所望の形にバランスさせるために適切な反力を提供するようになっている表面として定義されるだろう。実施態様によっては、この第１および／または第２の表面は、１つまたは複数のスロット内に設けられるだろう。さらに、第１の係合部材と第２の係合部材が備えられてもよい。この第１の表面は第１の係合部材と接触するようになっていることが可能であり、および、第１の係合部材は第１の表面に沿って滑らかに移動するサイズおよび形状にされていることが可能であり、および、第２の表面は第２の係合部材を受け入れるようになっていることが可能であり、および、第２の係合部材は第２の表面に沿って滑らかに移動するサイズおよび形状にされていることが可能である。第１および第２の表面と第１および第２の係合部材は、ディスプレイまたはマウントによって個別に支持されるだろう。実施態様によっては、第１および第２の表面は、第１および第２の係合部材と取付パネルとが少なくとも装置パネルの重量を打ち消すために協働的な反力を生じさせるように係合し、かつ、取付パネルに対して複数の角度において装置パネルを連続的に不動化するように、適切なサイズおよび形状にされている。
【発明を実施するための最良の形態】
【０００５】
以下の詳細な説明では、この詳細な説明の一部分を形成し、かつ、本発明が実施されることが可能な特定の実施形態が例示的に示されている、添付図面が参照される。これらの実施形態は、当業者が本発明を実施するのを可能にするのに十分なだけ詳細に説明されており、および、他の実施形態が使用可能であるということと、本発明の範囲から逸脱することなしに構造的な変更が行われることが可能であるということとが理解されなければならない。したがって、以下の詳細な説明は限定の意味で解釈されてはならず、および、本発明の範囲は、添付されている特許請求項とその等価物とによって定義される。
【０００６】
図１は、取付システム１００の一例の分解組立斜視図を示す。この取付システム１００は、ディスプレイスクリーン１０２のような物体を表面（すなわち、壁、天井、円柱状部材等）に可動的に連結する働きをする。このディスプレイスクリーン１０２は、非限定的に、プラズマテレビ、ＬＣＤスクリーン、ＬＣＤ投影ディスプレイ等を含む。取付システム１００は、広範囲のディスプレイのサイズと重量とに適応できる。例えば、この取付システム１００は、約１０インチから約７０インチ、および／または、約５ポンドから約２００ポンド（例えば、約１７５ポンド）の範囲内のディスプレイに適応できる。実施形態によっては、取付システム１００はマウント１０４と装置パネル１０６とを備えるだろう。さらに、この取付システムは様々な初期ディスプレイ重心位置（ｉｎｉｔｉａｌ  ｄｉｓｐｌａｙ  ｃｅｎｔｅｒ  ｏｆ  ｇｒａｖｉｔｙ  ｌｏｃａｔｉｏｎ）に適応するように使用されてよく、および、この初期ディスプレイ重心位置は支持表面からの重心位置の距離として定義されるだろう。実施形態によっては、取付システム１００は、約１インチから約１０インチの初期重心位置に適応するだろう。他の実施形態では、取付システム１００は、約２インチから約８インチの初期重心位置に適応するだろう。さらに別の実施形態では、取付システム１００は、約３インチから約６インチの初期重心位置に適応するだろう。
【０００７】
実施形態によっては、マウント１０４は第１の表面１０８と第２の表面１１０とを含む。表面１０８、１１０は、ディスプレイ位置（例えば、傾斜）が容易に調整されるように、かつ、調整が必要とされない場合には連続的にディスプレイを不動化するように協働する。連続的な不動化は、マウントによって許容される角度範囲内の任意の角度にディスプレイが位置決めされて固定されることを可能にする。一般的に、表面１０８、１１０は、ディスプレイが移動させられる時にそのディスプレイの重心位置の変化によって生じさせられるモーメントの変化をバランスさせるために協働する。例えば、第１および第２の表面の形状は、マウントによって許容される角度範囲内において、ディスプレイの位置に関係なく、マウントを中心とするモーメントの合計がゼロのままであるように、協働するだろう。更に詳細に後述するように、第１および第２の表面１０８、１１０は、この結果をもたらすための任意の適切な形態または構成の形で設けられるだろう。例えば、これらの表面の１つまたは複数が、図1に示されているように、スロット内に備えられることが可能である。さらに、これらの表面の１つまたは複数が、壁または床のような既存の構造物であってもよい。これに加えて、これらの表面の１つまたは複数がディスプレイ自体によって支持されてもよい。
【０００８】
第１および第２の表面１０８、１１０の形状構成は、用途（例えば、空間的な制限、マウントに対するディスプレイ重心の距離の範囲、パネルサイズ、範囲の所望の大きさ）、その他の表面の形状、および、この２つの表面の間の距離とによって決まるだろう。これらの要因は互いに作用し合って、最適である第１および第２の表面の形状構成を決定する。
【０００９】
さらに、本発明の特定の実施形態による取付システム１００は、ディスプレイの一定不変な力調整（ｃｏｎｓｔａｎｔ  ｆｏｒｃｅ  ａｄｊｕｓｔｍｅｎｔ）を可能にするようになっていることが可能である。このような実施形態では、概ね等しい力が、マウントによって許容される動作範囲内の任意の２つの等しい距離の間でディスプレイを動かすために加えられるだろう。他の実施形態では、システム１００は、ディスプレイを調整するために可変的な大きさの力を必要とするようになっているだろう。例えば、このシステムは、このシステムの材料または形状を変化させることによって、ディスプレイが傾斜させられるにつれて段階的により大きな力を必要とするようになっているだろう。
【００１０】
説明のために、本発明の取付システム１００の代表的な実施形態を図１から図６に関して説明する。その次に、取付システム１００とこのシステムの様々な構成要素の追加の実施形態の例を説明する。図１の実施形態に示されているように、取付システム１００は、マウント１０４と、取付パネル１０４に可動的に連結される装置パネル１０６とを含む。ディスプレイスクリーン１０２が、一例においては、装置パネル１０６を貫通して延びておりかつディスプレイスクリーン１０２に連結されているボルト等によって、装置パネル１０６に連結されている。別の例では、ディスプレイスクリーン１０２は、ディスプレイスクリーン１０２から延びておりかつ装置パネル１０６内の対応する凹みの中に固定されているボスによって、装置パネル１０６に固定されている。採用随意に、ボスが装置パネル１０６から延びて、ディスプレイスクリーン１０２内の凹みの中に固定される。別の選択肢では、装置パネル１０６は、接着剤等によってディスプレイスクリーン１０２に連結されている。さらに別の例では、装置パネル１０６は、ディスプレイスクリーン１０２がマウント１０４に可動的に連結されるようにディスプレイスクリーン１０２を含む。
【００１１】
図２は、装置パネル１０６に連結されているディスプレイスクリーン１０２の斜視図である。一例においては、この装置パネル１０６は連結プレート２００を含む。この連結プレート２００は、ディスプレイスクリーン１０２に装置パネル１０６を連結するためにディスプレイスクリーン１０２に対して係合する。連結プレート２００は、上述したように（すなわち、ボルト、ボス、接着剤等によって）装置パネル１０６に連結する。連結プレート２００は、ディスプレイスクリーン１０２の後部表面に沿って装置パネル１０６を位置決めするために、かつ、ディスプレイスクリーン１０２とマウント１０４との間の連結を容易にするために（図１）、ディスプレイスクリーン１０２と連結されている。別の例では、装置パネル１０６とディスプレイスクリーン１０２は一体状である。
【００１２】
パネルブラケット２０２が、ディスプレイスクリーン１０２から遠ざかる形で連結プレート２００から延びる。図２に示されている例では、パネルブラケット２０２は、例えば長方形のような平行四辺形の形状である。別の例では、パネルブラケット２０２は、正方形、長斜方形、および／または、卵子形（ｏｖｕｌａｒ）の形状等を有する。各々のパネルブラケット２０２はその他のパネルブラケット２０２と実質的に平行である。一例では、パネルブラケット２０２は、例えば、シート金属を打ち抜くことと、連結プレート２００に対して一定の角度にパネルブラケット２０２を湾曲させることとによって、連結プレート２００と共に形成される。別の実施形態では、パネルブラケット２０２は連結プレート２００とは別個に形成され、および、接着剤、ボルト、ねじ、溶接等によって連結プレート２００に連結される。パネルブラケット２０２は、長期間にわたってディスプレイスクリーン１０２を支持するのに十分な強度を有する材料で作られている。例えば、パネルブラケット２０２は、非限定的に、鋼材、ポリマー、複合材料等を含む。
【００１３】
係合部材２０４Ａ、２０４Ｂがパネルブラケット２０２の間を延びる。パネルブラケット２０２は、後述するように、取付パネル１０４（図１）に対するディスプレイスクリーン１０２の相対的な移動を容易にするために、ディスプレイスクリーン１０２と係合部材２０４Ａ、２０４Ｂとの間に間隔を開ける。係合部材２０４Ａは、相対的に係合部材２０４Ｂの上方に配置されている。係合部材２０４Ａ、２０４Ｂは、パネルブラケット２０２と同様の材料（すなわち、鋼材、ポリマー、複合材料等）を含む。係合部材２０４Ａ、２０４Ｂは、接着剤、ボルト、ねじ等によってパネルブラケット２０２の間に連結されている。採用随意に、係合部材２０４Ａ、２０４Ｂはパネルブラケット２０２と一体状である。一例においては、係合部材２０４Ａ、２０４Ｂは実質的に互いに平行である。別の例では、係合部材２０４Ａ、２０４Ｂは、後述するように取付パネル１０４（図１）内のスロットの中でのスライド移動を容易にするために、実質的に丸い（例えば円形の）横断面を有する。
【００１４】
さらに別の実施形態では、係合部材２０４Ａ、２０４Ｂは、さらに詳細に後述されかつ図１２Ａに示されているように、そのスロットとの転がり連通を可能にするために、ローラ（例えば、軸受）によって少なくとも部分的に囲まれている。１つの選択肢では、この転がり軸受は、非限定的に金属またはポリマーによって形成されているカラーを含む。外側のカラーは、軸受（例えば、玉軸受、針軸受等）を収容するサイズおよび形状にされている。別の選択肢では、内側のカラーが、内側カラーと外側カラーとの間の軸受の転がり移動を可能にするために、係合部材２０４Ａ、２０４Ｂに沿って位置決め可能である。この転がり軸受は、ディスプレイパネル１０６に連結されている特に重たいディスプレイスクリーンの移動を容易にする。このディスプレイスクリーンは連続的に位置決め可能なままであり、および、１つの選択肢では、転がり軸受は、実質的にあらゆるディスプレイスクリーンの方向配置をあらゆるユーザが調整することを可能にする。
【００１５】
図３は、スロット３００Ａ、３００Ｂの中に含まれている表面１０８、１１０を含む、取付パネル１０４の斜視図である。一例では、マウント１０４は、このマウント１０４の中に形成されているスロット３００Ａ、３００Ｂを有する一体的構成を有する。別の例では、マウント１０４は、少なくとも１つのスロットを各々が備えている２つ以上の部分を含む。例えば、２つのスロット３００Ａが、ディスプレイスクリーン１０２の両側の付近に配置されている２つの取付パネルの中に形成されている。スロット３００Ｂが、スロット３００Ａを提供する２つの取付パネルの間の第３の取付パネル位置に形成されている。取付パネルは、様々なディスプレイスクリーンと連結するサイズおよび形状にされている様々な装置パネル１０６を提供するために、壁のような表面に沿って個別的に配置可能である。採用随意に、取付パネルと、その取付パネルの互いに対する位置とが、用途とユーザの要望とに応じて選択可能である。
【００１６】
スロット３００Ａ、３００Ｂは、マウント１０４の少なくとも一部分の中を通って延びる。図３に示されているように、スロット３００Ａ、３００Ｂは表面３０２、３０４の間を延びる。一例では、スロット３００Ａは、取付パネル１０４の上部部分３０６からその下部部分３０８に向かって延びる。別の例では、スロット３００Ｂは下部部分３０８から上部部分３０９に向かって延びる。さらに別の例では、取付パネル１０４のスロット３００Ａ、スロット３００Ｂは互いに連通して、合併したスロットを形成する。
【００１７】
一例では、スロット３００Ａ、３００Ｂは、後述するように、スロット３００Ａ、３００Ｂ内の係合部材２０４Ａ、２０４Ｂ（図２）の滑らかな移動を容易にするために、実質的に途切れの無い部分を含む（すなわち、これらのスロットは、突起、凹み、フランジ等のような要素を実質的に含まない）。採用随意に、スロット３００Ａ、３００Ｂに沿った所望の位置に係合部材２０４Ａ、２０４Ｂを保持することを補助するために、取付パネル１０４は、スロット３００Ａ、３００Ｂに沿って戻り止め等のような要素を含む。別の例では、スロット３００Ａ、３００Ｂは、取付パネル１０４に対する相対的な装置パネル１０６とディスプレイスクリーン１０２（図１）の連続的な位置決めを可能にするために、実質的に連続した経路を辿る。この実質的に途切れの無いスロット３００Ａ、３００Ｂは、取付パネル１０４に対する複数の自由な角度において装置パネル１０６とディスプレイスクリーン１０２とを選択的に位置決めすることを可能にする。この設計の利点が、凹み、ノッチ等によって画定されている個別の規定された位置に装置パネル１０６とディスプレイスクリーン１０２とが制限されないということを含む。装置パネル１０６とディスプレイスクリーン１０２は、スロット３００Ａ、３００Ｂの実質的に連続した経路に沿った任意の場所において、係合部材２０４Ａ、２０４Ｂによって位置決めされることが可能である。この結果として、装置パネル１０６とディスプレイスクリーン１０２は、連続したスロット３００Ａ、３００Ｂによって、自由な方向配置において連続的に位置決めされることが可能である。
【００１８】
上部部分３０６と下部部分３０８との間を延びるスロット３００Ａは湾曲した形状を有し、および、スロット３００Ｂに対して横断方向にある（すなわち、スロット３００Ａは、スロット３００Ｂによって画定された表面を横断する）。別の例では、スロット３００Ｂおよび／またはスロット３００Ａは湾曲した形状を有し、および、互いに横断方向にある。図３に示されているスロット３００Ａの湾曲した形状は、装置パネルが可動的にマウント１０４に連結されている時に装置パネル１０６とディスプレイスクリーン１０２（図１）の不動化を容易にする予め決められた円弧を辿る。スロット３００Ａの予め決められた円弧は、係合部材２０４Ａ、２０４Ｂ（図２）とマウント１０４との間で発生される反力が、移動範囲に沿った複数の位置においてディスプレイスクリーン１０２および／または装置パネル１０６の重量を協働的に打ち消すことを可能にする。別の例では、係合部材２０４Ａ、２０４Ｂとマウント１０４との間の反力のベクトルがスロット３００Ａ、３００Ｂの形状によって制限されるので、マウント１０４に対する相対的なディスプレイスクリーン１０２および／または装置パネル１０６の連続的な不動化が実現される。図１に示されている例では、スロット３００Ａ、３００Ｂの形状は、スロット３００Ａ、３００Ｂに沿って滑らかに移動させられる係合部材２０４Ａ、２０４Ｂ（図２）によって、装置パネル１０６とディスプレイスクリーン１０２との連続的な不動化を実現する。スロット３００Ａ、３００Ｂが湾曲した形状を有する上述の例では、マウント１０４は、表面（例えば、壁）に対するより細長いプロファイルを有すると同時に、ディスプレイパネル１０６および／またはディスプレイスクリーン１０２のための大きな移動範囲を実現する。この結果として、取付装置１００は、ディスプレイパネル１０６が任意の方向配置にある表面から辛うじて延びる。実施形態によっては、マウントは、ディスプレイパネルが垂直の方向配置にある時に、支持表面（例えば、壁）から約８８．９ｍｍ（約３．５ｉｎ）の距離を置いてディスプレイパネルを保持するだろう。しかし、この距離は用途に応じて様々だろう。例えば、支持表面から適切な距離が置かれていない場合には、より大型のディスプレイの端縁が調整中に支持表面に接触することがあるので、より大型のディスプレイは、一般的に、同じ量の調整範囲を実現するために、より小型のディスプレイよりも支持表面からより遠い距離の間隔を置かれている。
【００１９】
取付パネルは、任意の適切な仕方で表面に取り付けられることが可能である。実施形態によっては、マウント１０４は、さらにフランジ３１０を含む。このフランジ３１０は、取付パネル１０４を表面（例えば、壁、天井、円柱状部材等）に連結するための締め付け固定具を含む。一実施形態では、この締め付け固定具は、ボルト、ねじ、釘等を受け入れるサイズおよび形状にされているフランジ３１０内の開口３１２を含む。別の例では、フランジ３１０上の締め付け固定具は、壁のような表面の中の対応する凹みの中に受け入れられるサイズおよび形状を有するボスを含む。採用随意に、フランジ３１０は、フランジ３１０表面（例えば、壁）から延びるボスを受け入れるサイズおよび形状にされている凹みを含む。別の選択肢としては、取付パネル１０４は、接着剤、クランプ等を使用して表面に連結される。
【００２０】
別の例では、図３に示されているマウント１０４は留め金３１４Ａ、３１４Ｂを含む。この留め金３１４Ａ、３１４Ｂは、スロット３００Ａ、３００Ｂ内に係合部材２０４Ａ、２０４Ｂ（図２）を保持するサイズおよび形状にされている。留め金３１４Ａは上部部分３０６を越えて上方に延び、かつ、スロット３００Ａの経路上を横断する。係合部材２０４Ａは留め具３１４Ａに係合し、スロット３００Ａに沿った移動限界を画定する。係合部材２０４Ｂが留め具３１４Ｂを越えて移動しないように制限されるように、留め具３１４Ｂがスロット３００Ｂの経路を横断して延びる。後述するように、係合部材２０４Ａ、２０４Ｂは、装置パネル１０６をマウント１０４に可動的に連結するために、留め具３１４Ａ、３１４Ｂを越えてスロット３００Ａ、３００Ｂの中に移動させられる。一例では、係合部材２０４Ａ（図２）が取付パネル１０２のスロット３００Ａの中に移動させられるように位置決めされていると同時に、装置パネル１０６とディスプレイスクリーン１０２とが上部部分３０６上に置かれることがあるので、留め具３１４Ａが利点を提供する。留め具３１４Ａは、ディスプレイスクリーン１０２および／または装置パネル１０６がマウント１０４から有害な形で離脱することを実質的に防止する。これに加えて、２つのスロット３００Ａ、３００Ｂは、マウント１０４上の少なくとも２つの場所からの装置パネル１０６の離脱を余儀なくさせる。この結果として、スロット３００Ａ、３００Ｂは、装置パネル１０６がマウント１０４から有害な形で離脱することを防止することを促進する。
【００２１】
採用随意に、取付パネル１０４は、係合部材２０４Ａ、２０４Ｂの移動を制限するための他の要素、例えば、スロット３００Ａ、３００Ｂの少なくとも一方の中の戻り止め、マウント１０４とディスプレイパネル１０６との間に連結されている可とう性要素等を含む。係合部材２０４Ａ、２０４Ｂが転がり軸受を含む特定の実施形態では、この転がり軸受の外側カラーは円形表面から延びる突起を含む。外側カラーは、係合部材２０４Ａ、２０４Ｂの少なくとも１つが所望の移動限界に達する時に、その突起が転がってその表面と係合し、かつ、移動限界を超えたさらなる転がり移動を実質的に防止するように、適切なサイズおよび形状にされている。
【００２２】
取付パネルは任意の適切な材料を含んでよい。一例では、取付パネル１０４は、プラスチックで作られており、および、スロット３００Ａ、３００Ｂ（図３を参照されたい）を有する所望の形状に成形されている。別の例では、取付パネルは、例えばスロット３００Ａ、３００Ｂと留め具３１４Ａ、３１４Ｂとフランジ３１０とを形成するように機械加工される。採用随意に、マウント１０４は、互いに連結されている複数の部品によって形成される。別の選択肢では、マウント１０４は一体状の構成である。
【００２３】
実施形態によっては、マウント１０４は、非限定的に、ポリマー、金属、複合材料、木材等によって形成されている。マウント１０４が堅牢な一体構造を有するので、ポリマー等のようなより安価な材料が取付パネル１０４を形成するために使用されることが可能である。マウント１０４の堅牢な設計の故に、鋳造または機械加工された金属部品がマウント１０４に強度を与えるために必ずしも必要とはされないが、当然のことながら、こうした金属部品が取付パネル１０４を形成するために使用されてもよい。さらに、取付パネル１０４は、必要に応じて、鋼材等の比較的により堅牢な材料で作られてもよい。特に重たいディスプレイスクリーンが取付装置１００と共に使用される別の実施形態では、すでに堅牢であるマウント１０４の強度と耐久性を改善するために、より堅牢な材料が有利である。
【００２４】
別の選択肢では、マウント１０４は、スロット３００Ａ、３００Ｂに沿った装置パネル１０６とディスプレイスクリーン１０２の移動を容易にするために、低摩擦性材料で作られている。一実施形態では、スロット３００Ａ、３００Ｂは、グリースまたはポリマー（例えば、ＴＥＦＲＯＮ（登録商標）によって登録されておりかつＥ．Ｉ．Ｄｕ  Ｐｏｎｔ  Ｄｅ  Ｎｅｍｏｕｒｓ  ａｎｄ  Ｃｏｍｐａｎｙ  Ｃｏｒｐｏｒａｔｉｏｎによって所有されているポリテトラフルオロエチレン）のような潤滑剤または低摩擦性材料によって裏を覆われている。さらに別の例では、係合部材２０４Ａ、２０４Ｂは、装置パネル１０６の移動を容易にするために低摩擦性材料を含む。この低摩擦性材料は、ディスプレイスクリーン１０２を位置決めすることが望ましい時に係合部材２０４Ａ、２０４Ｂとマウント１０４との間の移動におけるあらゆる摩擦抵抗を最小限にする。
【００２５】
図４は、マウント１０４と可動的に連結されている装置パネル１０６を含む取付システム１００の側面図である。装置パネル１０６とこれに連結されているディスプレイスクリーン１０２は、スロット３００Ａ、３００Ｂによって許容可能な最大量にディスプレイスクリーン１０２とパネル１０６とが傾斜させられている第１の位置において示されている。ディスプレイスクリーン１０２と装置パネル１０６はベクトル４００によって示される重量を有する。係合部材２０４Ａ、２０４Ｂ（想像線で示されている）は、スロット３００Ａ、３００Ｂの予め決められた連続した経路に沿って取付パネルと係合する。ベクトル４０２Ａ、４０２Ｂで示されている反力が、部材２０４Ａ、２０４Ｂがマウント１０４と係合することによって発生させられる。スロット３００Ａ、３００Ｂの予め決められた形状が、ベクトル４０２Ａが協働的に重量ベクトル４００を打ち消すことを確実なものにするように、ベクトル４０２Ａの方向成分を生じさせる。
【００２６】
図５は、マウント１０４に連結されている装置パネル１０６の側面図である。装置パネル１０６は、スロット３００Ａ、３００Ｂの途切れの無い経路に沿って取付パネル１０４に係合している係合部材２０４Ａ、２０４Ｂを伴って、中間位置において示されている。ベクトル４００によって示されているように、ディスプレイスクリーン１０２と装置パネル１０４の重量は不変のままであり、および、ベクトル４００は、図４に示されている第１の位置の場合と同じ方向を指している。ベクトル５０２Ｂはマウント１０４と係合部材２０４Ｂとの間の反力を表す。スロット３００Ｂの実質的に垂直な形状の故に、ベクトル５０２Ｂはマウント１０４に対して相対的に実質的に水平のままである。スロット３００Ｂが湾曲しており、および／または、垂直形状から逸脱している別の例では、これに対応してベクトル５０２Ｂは垂直方向の成分を有する。ベクトル５０２Ａは係合部材２０４Ａとマウント１０４との間の反力を表す。スロット３００Ａの予め決められた曲率が、係合部材２０４Ａと取付パネル１０４との間に作用するベクトル（図５の５０２Ａと、図４の４０２Ａ）を調整する。スロット３００Ａの形状は、ベクトル４０２Ａ／５０２Ａの水平成分と垂直成分を変化させ、これによって、係合部材２０４Ａがスロット３００Ａに沿って動かされるので、これらのベクトルの方向を変化させる。スロット３００Ａの形状は、図示されている中間位置においてディスプレイスクリーン１０２と装置パネル１０６との重量を打ち消すために、ベクトル５０２Ａがベクトル５０２Ｂと協働することを確実なものにする。
【００２７】
さらに、係合部材２０４Ａ、２０４Ｂの間のベクトルは、マウント１０４に対する装置パネル１０６の相対的な移動に伴って変化し続ける。この結果として、これらのベクトルは、装置パネルとディスプレイスクリーン１０２との重心の位置の変化によって生じさせられるモーメントを打ち消すために協働し、および、これによってスロット３００Ａ、３００Ｂに沿ったあらゆる方向配置においてパネル１０６とスクリーン１０２を不動化する。一実施形態では、スロット３００Ａの湾曲した形状が、途切れの無いスロット３００Ａ、３００Ｂに沿った選択的な位置決めの後にディスプレイスクリーン１０２と装置パネル１０６とが連続的に不動化されることを確実なものにする。別の例では、途切れが無くかつ実質的に連続しているスロット３００Ａ、３００Ｂに沿って係合部材２０４Ａ、２０４Ｂが滑らかに移動させられる時に、そのベクトルは装置パネル１０６を連続的に不動化するように協働する。これによって、そのベクトルは、スロット３００Ａ、３００Ｂに沿って装置パネル１０６とディスプレイスクリーン１０２とが連続的に位置決めされる時に、装置パネル１０６とディスプレイスクリーン１０２とを不動化するように協働する。
【００２８】
図４および図５に示されているように、係合部材２０４Ａ、２０４Ｂは予め決められた距離だけ互いに間隔を開けられている。一例では、係合部材２０４Ａ、２０４Ｂは、スロット３００Ａ、３００Ｂ内の部材２０４Ａ、２０４Ｂの受け入れを可能にするように、および、マウント１０４に対する装置パネル１０６の連結を可能にするように、互いに間隔を開けられている。別の例では、係合部材２０４Ａの移動がスロット３００Ａ、３００Ｂ内の係合部材２０４Ｂの移動に対応するように、係合部材２０４Ａ、２０４Ｂは予め決められた距離だけ互いに間隔を開けられている。係合部材２０４Ａがスロット３００Ａ内のその移動の限界に達する時に、係合部材２０４Ｂはスロット３００Ｂ内のその移動の限界に達する。
【００２９】
図４を参照すると、マウント１０４は傾斜部分４０４を含む。一例では、この傾斜部分４０４は、装置パネル１０６およびディスプレイスクリーン１０２との接触を回避するサイズおよび形状にされている。この傾斜部分４０４は、装置パネル１０５とディスプレイスクリーン１０２とが、移動の全範囲において、スロット３００Ａ、３００Ｂ内を移動する係合部材２０４Ａ、２０４Ｂと係合することを可能にする。これに加えて、傾斜部分４０４は、ディスプレイスクリーン１０２と装置パネル１０６とを連続的に不動化するためにディスプレイスクリーン１０２と装置パネル１０６との重量を打ち消す反力（例えばベクトル４０２Ａ、４０２Ｂおよびベクトル５０２Ａ、５０２Ｂ）に対する干渉を実質的に防止する。別の例では、傾斜部分４０４は、マウント１０４に対する係合部材２０４Ａ、２０４Ｂの係合によって生じさせられる応力を最小限にするために、（例えば、図４に示されているように）堅牢に作られている。特に重たいディスプレイスクリーン１０２に対して係合部材２０４Ａ、２０４Ｂによって生じさせられる応力が、マウント１０４の耐久性を増大させるために傾斜部分４０４の全体にわたって分散させられる。
【００３０】
動作時には、マウント１０４は、壁、天井、円柱状部材等のような表面に連結される。図３に示されている一例では、マウント１０４は、上述したように（例えば、開口３１２の中を通って延びるボルト等によって）フランジ３１０の中を通して表面に固定される。装置パネル１０６はディスプレイスクリーン１０２（図１）に連結される。別の例では、装置パネル１０６は、ボルト、ボス、接着剤等によってディスプレイスクリーン１０２に連結される。採用随意に、装置パネル１０６がマウント１０４に連結された後に、ディスプレイスクリーン１０２は装置パネル１０６に連結される。
【００３１】
次に図２および図３を参照すると、装置パネル１０６は、留め金３１４Ａとフランジ３１０との間の係合部材２０４Ａを上部部分３０６の付近に位置決めすることによって、マウント１０４に連結される。係合部材２０４Ａはスロット３００Ａ内に配置されており、および、実質的に途切れが無いスロット３００Ａに沿って移動するサイズおよび形状にされている。装置パネル１０６はマウント１０４よりも引き下げられている。係合部材２０４Ａはこの移動に追従し、および、スロット３００Ａに沿って凹み３１６に向かって移動する。係合部材２０４Ａが実質的に凹み３１６に隣接すると、装置パネル１０６は取付パネル１０４に向けて動かされ、および、係合部材２０４Ｂは留め金３１４Ｂの付近においてスロット３００Ｂ内に位置決めされている。係合部材２０４Ａ、２０４Ｂはマウント１０４に係合し、および、スロット３００Ａ、３００Ｂ内を移動可能である（図４および図５）。
【００３２】
図４および図５に示されているように、装置パネル１０６とディスプレイスクリーン１０２は、スクリーン１０２またはパネル１０６に対して（例えば、手によって）圧力を加えることによって、マウント１０４に対して相対的に位置決めされる。１つの選択肢においては、マウント１０４に対するディスプレイスクリーン１０２の相対的な位置決めを容易にするために係合部材２０４Ａ、２０４Ｂの周囲に連結されている転がり軸受。これに加えて、この転がり軸受は、取付装置１００と共に使用される実質的にすべてのディスプレイスクリーンの容易な動きを可能にする。例えば、そのサイズおよび／または重量の故に位置決めが困難であるディスプレイスクリーンが、この取付装置１００と転がり軸受とを使用してより容易に位置決めされる。
【００３３】
次に図６を参照すると、この図には、取付装置の使用方法６００に関するブロック図が示されている。この取付装置（例えば、取付装置１００）は図４および図５に示されており、および、以下で説明される。ブロック６０２では、装置パネル１０６が取付パネル１０４に対して相対的に選択的に位置決めされる。一例では、ディスプレイスクリーン１０２は装置パネル１０６に連結されている。係合部材２０４Ａ、２０４Ｂは装置パネル１０６と取付パネル１０４との間に可動的に連結されており、および、マウント１０４の第１および第２の実質的に連続したスロット３００Ａ、３００Ｂの中に受け入れられている。一例では、スロット３００Ａ、３００Ｂは、実質的に要素なしであり（すなわち、ノッチ、凹み等がない）、および、そのスロット内での係合部材２０４Ａ、２０４Ｂの滑らかな連続的な移動を可能にする。
【００３４】
マウントは、あらゆる任意の所望の角度範囲を可能にする。例えば、装置パネル１０６は、マウント１０４の取付表面４０６に一致する垂直軸線に対して相対的に少なくとも約１５度後方にかつ約４５度前方に位置決めされることが可能である。別の実施形態では、装置パネル１０６は、マウント１０４の取付表面４０６に一致する垂直軸線に対して相対的に少なくとも約１０度後方にかつ約３５度前方に位置決めされることが可能である。さらに別の実施形態では、装置パネル１０６は、マウント１０４の取付表面４０６に一致する垂直軸線に対して相対的に少なくとも約５度後方にかつ約２５度前方に位置決めされることが可能である。採用随意に、スロット３００Ａ、３００Ｂは、装置パネル１０６がその垂直軸線に対して垂直な水平軸線の上方および下方に少なくとも４５度は移動するように、マウント１０４に沿って位置決めされている。
【００３５】
ブロック６０４では、装置パネル１０６は、スロット３００Ａ、３００Ｂによって可能にされる移動の範囲内の複数の自由な場所において、マウント１０４に対して相対的に連続的に不動化される。第１および第２の係合部材２０４Ａ、２０４Ｂはマウント１０４に係合させられている。第１および第２のスロット３００Ａ、３００Ｂは係合部材２０４Ａ、２０４Ｂを受け入れるサイズおよび形状にされている。第１および第２の係合部材２０４Ａ、２０４Ｂとマウント１０４との間の反力が、係合部材２０４Ａ、２０４Ｂがそれぞれのスロット３００Ａ、３００Ｂに沿った実質的に任意の位置にある時に、装置パネル１０６および／またはディスプレイスクリーン１０２の重量を連続的に打ち消すように協働する。これによって、装置パネル１０６および／またはディスプレイスクリーン１０２は、マウント１０４に対して相対的に連続的に不動化される。装置パネル１０６および／またはディスプレイスクリーン１０２に対する追加の圧力の印加が、取付パネル１０４に対する装置パネル１０６および／またはディスプレイスクリーン１０２の相対的な移動を容易にする。圧力が装置パネル１０６および／またはディスプレイスクリーン１０２から取り除かれると、係合部材２０４Ａ、２０４Ｂとマウント１０４との間の反力が、連続したスロット３００Ａ、３００Ｂに沿った任意の場所において装置パネル１０６および／またはディスプレイスクリーン１０２を連続的に不動化する働きをする。重要な点であるが、スロット３００Ａ、３００Ｂと、装置パネル１０６とマウント１０４との協働とが、異なる重量と寸法とを有する様々なディスプレイスクリーンを単一の取付装置１００が支持して連続的に位置決めすることを可能にする。この単一の取付装置によって、異なるディスプレイスクリーンに関する設計の変更が不要であり、この結果として均一なコストで取付装置を実現する。
【００３６】
上述したように、第１および第２の表面１０８、１１０は任意の適切な形状または構成の形で実現されてよい。図７に示すように、第１の表面１０８は第２の表面１１０からオフセットしているだろう。しかし、この構成は、さらに詳細に後述するように、マウントが、その底部表面７００内に受け入れられる部材によって支持されることを可能にする一例である。
【００３７】
図７の実施形態では、第１の表面１０８は第１のスロット３００Ａの中に含まれ、および、第２の表面１１０は第２のスロット３００Ｂの中に含まれる。この実施形態では、スロット３００Ａ、３００Ｂは第１および第２の係合部材２０４Ａ、２０４Ｂ（図７には示されていない）を保持するために取り囲まれている。これに加えて、第１のスロット３００Ａは概ね湾曲しており、および、第２のスロット３００Ｂは概ね垂直かつ直線状である。しかし、図８の実施形態では、第２のスロット３００Ｂは概ね直線状であるが、垂直位置からオフセットしている。図９の実施形態では、第１および第２のスロット３００Ａ、３００Ｂの両方は概ね湾曲している。別の例が図１０と図１１との実施形態に示されている。図１０と図１１では、第１および第２のスロット３００Ａ、３００Ｂは湾曲しており、かつ、水平軸線に関して概ね対称である。実施形態によっては、第１および第２の表面１０８、１１０が、マウントによって可能にされる位置範囲内での移動中に側面を転じることがあるということに留意されたい。これに加えて、スロット内に第１および第２の表面を備える実施形態では、これらの表面はそのスロットの円周表面全体を含むだろう。
【００３８】
実施形態によっては、ロック要素が、ディスプレイを所望の位置にロックするために設けられているだろう。こうした実施形態は、作業区域内に配置されているコンピュータディスプレイのような用途に特に有用である。こうしたディスプレイは、所望の位置からそのディスプレイを移動させるのに十分な力で偶発的に衝撃されることがある。ロック要素を有する取付システム１００の一例が図１２Ａに示されている。図１２Ａの実施形態では、第１および第２の係合部材２０４Ａ、２０４Ｂがピン１２００とローラ１２０２とを含む。このピンとローラは、装置パネル１０６上に設けられている穴１２０６の中に受け入れられる。実施形態によっては、ピン１２００の少なくとも１つがノブ１２０８内に受け入れられるようになっているボルトを備えるだろう。このような実施形態では、ユーザは、ディスプレイを所望の位置にロックするためにそのノブを締めることが可能である。図１２Ｂは、アセンブリ図の形で図１２Ａの取付システムを示す。
【００３９】
この取付システムは任意の適切な方法によって支持されるだろう。図１３は、アーム１３００によって支持される取付システム１００を示す。このアーム１３００は、マウント１０４の底部表面７００内に受け入れられる釘（図１３には示されていない）によって取付システムを回転自在に支持するだろう。この構成は、ディスプレイの追加の調整を可能にするために、支持アーム１３００を中心として取付システムが回転することを可能にする。実施形態によっては、アーム１３００自体がその近位末端１３０４を中心として調整されるだろう。この調整は、例えば、垂直方向および／または水平方向の調整を含むだろう。
【００４０】
図１４Ａは、表面マウント１４００によって支持されるようになっている取付システム１００を示す。このシステムは、壁のような垂直表面上にディスプレイを回転自在かつ旋回自在に支持するために有用である。実施形態によっては、表面マウント１４００は、マウント１０４の底部表面７００内に受け入れられるようになっている釘１４０２を備えるだろう。このシステムはマウント１０４が釘１４０２を中心として回転することを可能にする。表面マウント１４００は、例えば、穴１４０４内に保持されているボルトまたはねじを含む、任意の適切な手段によって支持表面に連結されるだろう。
【００４１】
取付システム１００の特定の実施形態が、比較的大型のディスプレイを支持して調整するようになっている。こうしたシステムで有用なマウント１０４の実施形態が図１５である。図１５では、マウント１０４は、スロット３００Ａ内に含まれる第１の表面１０８と、スロットの中には含まれない第２の表面１１０とを有するだろう。さらに、１つまたは複数の保持要素１５００、１５０２が、さらに詳細に後述するように、壁ブラケットのような支持構造物上にマウント１０４を保持するために備えられるだろう。
【００４２】
図１６Ａから図１６Ｄは、装置パネル１０６に連結されている図１５のマウント１０４を示す。装置パネル１０６は比較的大型のディスプレイを支持するだろう。図示されている実施形態では、係合部材２０４Ａ、２０４Ｂはピン１２００とローラ１２０２とを備える。ローラ１２０２は、ナイロンのような任意の適切な材料を含むだろう。採用随意に、玉軸受が備えられるだろう。
【００４３】
図１７は、図１５と図１６Ａから図１６Ｄとに示されている実施形態を含むアセンブリされた取付アセンブリ１００を示す。図１７の実施形態では、２つの装置パネル１０６がディスプレイに連結されるために備えられている。各々の装置パネル１０６は第１および第２の係合部材２０４Ａ、２０４Ｂに連結されている。係合部材２０４Ａは第１のスロット３００Ａ内の第１の表面１０８と係合し、および、係合部材２０４Ｂは第２の表面１１０と係合する。ブラケット１７００、１７０２が、壁のような支持表面に連結するために備えられている。これらのブラケットは単一または別々の部材の上に設けられているだろう。保持要素１５００がブラケット１７００と係合させられるだろうし、および、保持要素１５０２が、マウント１０４をブラケット１７００、１７０２と連結させるためにブラケット１７０２と係合させられるだろう。このようなシステムでは、装置パネル１０４は、これらの装置パネルが随意に固定されるまで、マウント１７００、１７０２に沿ってスライドする形で移動するだろう。例えば、装置パネルは、ブラケット１７００、１７０２の１つまたは複数に対して圧縮ボルト１７０８を締め付けることによって固定されるだろう。実施形態によっては、このボルト１７０８は、泥棒のような不正な個人が支持表面からディスプレイを取り外すことを防止するための特別に適合化された道具を使って動かされることが可能だろう。このようなシステム１００は、ユーザが壁のような支持表面に対して比較的大型のパネルディスプレイを効率的にかつ確実に取り付けることと、図１８に示されている矢印１８００の方向における設置後のそのディスプレイの容易な傾斜調整を実現することとを可能にするために有用である。
【００４４】
図１９は、取付システム１００の別の例を示す。図１９に示されている実施形態では、第２の表面１１０は別個の部材１９００上に設けられている。別個の部材１９００は、壁のような既存の表面であってよく、または、支持表面に固定されることが可能な基体であってもよい。このようなシステムは、既存の支持構造物の安定性を利用することと、ユーザに対してより少数の部品を提供することによってコストを削減することとに関して、有用である。
【００４５】
図２０から図２２は、ディスプレイ１０２と支持物２０００との間の間隙を最小限にするようになっている取付システム１００の実施形態を示す。図２０は第１の末端位置におけるこのシステムを示し、および、図２１は第２の末端位置におけるこのシステムを示す。ディスプレイ１０２と支持物２０００との間の距離Ｄ１がこれら２つの示された末端位置の間で比較的に一定不変のままであるということに留意されたい。図示されている実施形態では、第１の表面１０８と第２の表面１１０は第１のスロット３００Ａの中に含まれており、この第１のスロット３００Ａはディスプレイによって支持されている（例えば、機能的に連結されている）。
【００４６】
実施形態によっては、第１および第２の表面１０８、１１０は、図２３および図２４に示されているように、ディスプレイによって（例えば、装置パネル１０６によって）支持されている。図２３では、第１の表面１０８は、装置パネル１０６に機能的に連結されている細長い部材２３００によって支持されている。この細長い部材は、マウント１０４によって画定されている空洞２３０２の中に配置されている。第１の表面１０８は第１の係合部材２０４Ａと係合し、および、この第１の係合部材２０４Ａは、上述したようにローラであってもよい。図２３の実施形態では、第２の表面１１０が第２の係合部材２０４Ｂと係合し、この第２の係合部材もローラであってよい。図２４の実施形態では、第１および第２の表面１０８、１１０と第１および第２の係合部材２０４Ａ、２０４Ｂとのすべてが、空洞２３０２内に配置されている。
【００４７】
上述したように、本明細書で説明している様々な取付システムは広範囲のディスプレイ重量に適応するだろう。一般的に、ディスプレイを不動化する取付システム１００の能力はディスプレイ重量とは無関係である。しかし、ディスプレイ重量が増大するにつれて、摩擦力も増大し、したがって、ディスプレイを移動するためにより多くの力を必要とするだろう。
【００４８】
さらに、この取付システムは一定の範囲の重心位置に適応するだろう。この適応は、様々な要素によって実現されるだろう。例えば、このシステム内の摩擦力が一定の範囲の重心位置に適応することを促進する。こうした摩擦力は、潤滑剤を備えることやカム表面を粗くすることのような方法によって増減されるだろう。
【００４９】
実施形態によっては、ディスプレイの重心位置の範囲は、図２５に示すような調整可能なカムを設けることによって拡大されるだろう。図２５では、第１の表面１０８の輪郭および／または角度が、旋回点２５０４を中心として第１の表面１０８を動かすために調整ねじ２５０２を締めることによって調整されるだろう。このシステムでは、マウント１０４から離れている重心位置を有するディスプレイが連続的に不動化されることが望まれる場合に、調整ねじ２５０２は、そのシステムに対してより適合化されている第１の表面を提供するために締め付けられるだろう。この調整可能なシステムは、必要に応じてディスプレイの重心位置の適応の範囲を調整するために使用されるだろう。例えば、このシステムは、初期ディスプレイ重心位置の約２インチ以上の範囲に適応するために使用されるだろう。実施形態によっては、このシステムは、初期ディスプレイ重心位置の約５インチ以上の範囲に適応するだろう。
【００５０】
上述のスロット付きディスプレイマウントと方法の様々な実施形態は、幾つかの利点を提供する。例えば、利点は、取付パネルに対して相対的にディスプレイスクリーンおよび／または装置パネルを連続的に不動化するための２部品アセンブリ（ｔｗｏ  ｐｉｅｃｅ  ａｓｓｅｍｂｌｙ）を有する取付装置を含む。取付装置のこの２部品構成が、より少数の可動部品を有する信頼性の高いシステムを実現する。これに加えて、取付パネルは、様々な重たいディスプレイスクリーンを支持するためにプラスチック等の使用を可能にする堅牢な設計を有する。さらにより重たいディスプレイスクリーンを支持するために、既に堅牢である取付パネルと共に、より強固な材料が使用される。この取付パネルは、その連続したスロットの実質的にあらゆる部分に沿った装置パネルおよび／またはディスプレイスクリーンの連続的な位置決めを容易にする、実質的に連続したスロットを含む。様々な規定された角度における個別的な位置決めを実現する凹みおよびノッチが使用されることが可能であるが、装置パネルの付加的な固定のためには必要ではない。このスロットの形状が、装置パネルとディスプレイスクリーンとが取付パネルに対して相対的に実質的にあらゆる方向において連続的に不動化されることを確実なものにする。取付パネルの連続スロットは、複数の自由な角度における装置パネルおよび／またはディスプレイスクリーンの位置決めを可能にする。連続したスロット内の係合部材と取付パネルとの間の反力が、これらの自由な角度においてディスプレイスクリーンおよび／または装置パネルを連続的に不動化するために、ディスプレイスクリーンおよび／または装置パネルの重量を打ち消す。重要なことであるが、スロットと、取付パネルとの装置パネルの協働とが、異なる重量と寸法を有する様々なディスプレイスクリーンを単一の取付装置が支持しかつ連続的に位置決めすることを可能にする。単一の取付装置を用いて、異なるディスプレイスクリーンに関して設計の変更が必要とされず、この結果として、均一なコストで取付装置を提供する。
【００５１】
選択された利点を詳細に上述したが、そのリストは排他的であることを意図されていない。本明細書には特定の具体例が図示され説明されているが、同一の目的を達成することが意図されているあらゆる構成が、示されている特定の実施形態の代わりに用いられてよいということが当業者に理解されるだろう。本出願は、本発明のあらゆる適応または変型を範囲内に含むことが意図されている。上述の説明が例示的であることを意図しており、限定的ではないということが理解されなければならない。上述の実施形態の組合せと他の実施形態とが、上述の説明を再検討することによって当業者に明らかだろう。本発明の範囲は、上述の構造と製造方法とが使用されるあらゆる他の用途を含む。
【図面の簡単な説明】
【００５２】
【図１】図１は、本発明の実施形態によるディスプレイスクリーン取付システムの一例の分解組立斜視図を示す。
【図２】図２は、本発明の実施形態によるディスプレイスクリーンに連結されている装置パネルの一例の斜視図を示す。
【図３】図３は、本発明の実施形態によるマウントの一例の斜視図を示す。
【図４】図４は、第１の位置における装置パネルとディスプレイスクリーンとを伴う取付システムの別の例の側面図を示す。
【図５】図５は、中間位置における装置パネルとディスプレイスクリーンとを伴う取付システムの別の例の側面図を示す。
【図６】図６は、本発明の実施形態による取付システムを使用するための方法の一例のブロック図を示す。
【図７】図７は、本発明の実施形態によるマウントの斜視図を示す。
【図８】図８は、本発明の実施形態によるマウントの側面図を示す。
【図９】図９は、本発明の実施形態によるマウントの側面図を示す。
【図１０】図１０は、本発明の実施形態によるマウントの斜視図を示す。
【図１１】図１１は、本発明の実施形態によるマウントの側面図を示す。
【図１２Ａ】図１２Ａは、本発明の実施形態による取付システムの分解組立図を示す。
【図１２Ｂ】図１２Ｂは、本発明の実施形態による取付システムの斜視図を示す。
【図１３】図１３は、本発明の実施形態によるアームによって支持されている取付システムの斜視図を示す。
【図１４Ａ】図１４Ａは、本発明の実施形態による支持マウントによって支持されている取付システムの分解組立斜視図を示す。
【図１４Ｂ】図１４Ｂは、本発明の実施形態による支持マウントによって支持されている取付システムの斜視図を示す。
【図１５】図１５は、本発明の実施形態によるマウントの側面図を示す。
【図１６Ａ】図１６Ａは、本発明の実施形態による取付システムの分解組立図を示す。
【図１６Ｂ】図１６Ｂは、本発明の実施形態による取付システムの側面図を示す。
【図１６Ｃ】図１６Ｃは、本発明の実施形態による取付システムの正面図を示す。
【図１６Ｄ】図１６Ｄは、本発明の実施形態による取付システムの斜視図を示す。
【図１７】図１７は、本発明の実施形態による取付システムの斜視図を示す。
【図１８】図１８は、本発明の実施形態による取付システムの斜視図を示す。
【図１９】図１９は、本発明の実施形態による取付システムの斜視図を示す。
【図２０】図２０は、本発明の実施形態による取付システムの側面図を示す。
【図２１】図２１は、本発明の実施形態による取付システムの側面図を示す。
【図２２】図２２は、本発明の実施形態による取付システムの斜視図を示す。
【図２３】図２３は、本発明の実施形態による取付システムの側面図を示す。
【図２４】図２４は、本発明の実施形態による取付システムの側面図を示す。
【図２５】図２５は、本発明の実施形態によるマウントの側面図を示す。
【図１】
2008517349.tif 000003
【図２】
2008517349.tif 000004
【図３】
2008517349.tif 000005
【図４】
2008517349.tif 000006
【図５】
2008517349.tif 000007
【図６】
2008517349.tif 000008
【図７】
2008517349.tif 000009
【図８】
2008517349.tif 000010
【図９】
2008517349.tif 000011
【図１０】
2008517349.tif 000012
【図１１】
2008517349.tif 000013
【図１２Ａ】
2008517349.tif 000014
【図１２Ｂ】
2008517349.tif 000015
【図１３】
2008517349.tif 000016
【図１４Ａ】
2008517349.tif 000017
【図１４Ｂ】
2008517349.tif 000018
【図１５】
2008517349.tif 000019
【図１６Ａ】
2008517349.tif 000020
【図１６Ｂ】
2008517349.tif 000021
【図１６Ｃ】
2008517349.tif 000022
【図１６Ｄ】
2008517349.tif 000023
【図１７】
2008517349.tif 000024
【図１８】
2008517349.tif 000025
【図１９】
2008517349.tif 000026
【図２０】
2008517349.tif 000027
【図２１】
2008517349.tif 000028
【図２２】
2008517349.tif 000029
【図２３】
2008517349.tif 000030
【図２４】
2008517349.tif 000031
【図２５】
2008517349.tif 000032
【国際調査報告】
2008517349.tif 000033
2008517349.tif 000034
2008517349.tif 000035